(57)【要約】【課題】再生画像の画質の低下を防止しつつ、装置自体が有する記憶部の容量の節約が可能な映像情報処理装置を提供する。また、光ディスク等の記録媒体を用いて、当該映像情報処理装置により分割された情報の再生動作の管理・制御を行うことができる映像情報処理装置を提供する。【解決手段】本発明に係る映像情報処理装置１００は、情報読み出し部（光ピックアップ２等）と、磁気ディスク３と、システムコントローラ部１８とを備えている。情報読み出し部は、装置１００に着脱され、第一の情報の記録が可能な光ディスク１から、再生許可情報４０を読み取る。磁気ディスク３は、第二の情報の記録が可能である。システムコントローラ部１８は、再生許可情報４０に従って、第一の情報または第二の情報の再生処理を行うか否かを判断する。【選択図】  図１
2008293564.tif 000002
【特許請求の範囲】
【請求項１】
着脱自在な記録媒体から、再生許可情報を読み取る情報読み出し部と、
情報の記録が可能な記憶部と、
前記再生許可情報に従って、前記記録媒体に記録された第一の情報または前記記憶部に記録された第二の情報の再生処理を行うか否かを判断する、コントローラ部とを、備えている、
ことを特徴とする情報処理装置。
【請求項２】
前記再生許可情報は、
前記第二の情報の再生処理を許可するかしないかを示す情報である、
ことを特徴とする請求項１に記載の情報処理装置。
【請求項３】
前記第一の情報および前記第二の情報は、所定のデータから分割された情報であり、
前記情報読み出し部は、
前記記録媒体から、情報の再生動作を規定する再生動作識別情報を読み出すことができ、
前記コントローラ部が前記再生動作識別情報を認識できるときには、前記コントローラ部は、
前記再生動作識別情報に従って、前記第一の情報と前記第二の情報とを合成して再生するか否かを判断し、
前記コントローラ部が前記再生動作識別情報を認識できないときには、前記コントローラ部は、
前記再生許可情報に従って、前記第一の情報の再生を行うか否かを判断する、
ことを特徴とする請求項１に記載の情報処理装置。
【請求項４】
前記所定のデータは、
映像情報であり、
前記第一の情報は、
前記映像情報より画質が低いデータ、もしくは、映像として再生不可能な映像データであり、
前記第二の情報は、
前記映像情報と前記第一の情報との差分データである、
ことを特徴とする請求項３に記載の情報処理装置。
【請求項５】
前記情報読み出し部は、
前記記録媒体から当該記録媒体の識別情報を読み出すことができ、
前記情報処理装置は、
前記第一の情報が記録されている第一のアドレスと、前記第二の情報が記録されている第二のアドレスとを、前記識別情報に関連付けて保持されている保持部を、さらに備えており、
前記コントローラ部は、
前記記録媒体の前記識別情報と、前記保持部に保持されている前記識別情報とが、一致するか否かを判断し、
前記コントローラ部が一致すると判断した場合には、前記情報読み出し部は、
当該一致している前記識別情報に関連付けられている前記第一のアドレスおよび前記第二のアドレスから、前記第一の情報および前記第二の情報を読み出し、
前記情報処理装置は、
前記第一のアドレスから読み出された前記第一の情報と、前記第二のアドレスから読み出された前記第二の情報とを、再生可能に合成するデータ合成部を、さらに備えている、
ことを特徴とする請求項３または請求項４に記載の情報処理装置。
【請求項６】
前記情報読み出し部は、
一の前記情報処理装置において記録された前記第一の情報の少なくとも一部が、他の前記情報処理装置によって上書きされた場合における、当該上書きされたアドレスを示す上書きアドレス情報を読み出すことができ、
再生処理の際に、前記コントローラ部は、
前記上書きアドレス情報に基づいて、前記第一の情報の前記上書きされた部分を除外した再生処理を制御する、
ことを特徴とする請求項３ないし請求項５のいずれかに記載の情報処理装置。
【発明の詳細な説明】
【技術分野】
【０００１】
この発明は、情報処理装置に係る発明であり、たとえば、光ディスクと磁気ディスクに対して、記録再生処理を行う映像記録再生装置に適用することができる。
【背景技術】
【０００２】
ディスクに記録された識別情報や動作定義により、既存フォーマットのディスクとの互換性を維持した上で、記録再生装置の動作を規定する技術として、たとえば特許文献１に係る技術が存在する。
【０００３】
当該特許文献１に係る技術では、所定の光ディスクに対する光ディスク駆動装置のアクセスが可能であるか否かを示すアクセス動作識別情報が、当該所定の光ディスクに記録されている。光ディスク駆動装置では、当該アクセス動作識別情報を読み取り、光ディスク駆動装置の有するアクセス動作識別情報と比較する。両情報が対応していない場合には、光ディスクとの再生互換性または記録互換性が取れていないため、当該光ディスク駆動装置は、光ディスクのユーザーデータ領域に対する光ヘッドによるアクセス動作を行わない。
【０００４】
【特許文献１】特開２００６−１２４０６号公報
【発明の開示】
【発明が解決しようとする課題】
【０００５】
近年、記録再生装置として、ＤＶＤ等の光ディスクとハードディスク（ＨＤＤ）等の磁気ディスクが一体となった装置が主流になっている。デジタル放送が徐々に広まるにつれ、デジタル放送の大容量高精細な映像をそのままの画質で記録したいという需要は大きい。高精細な映像をＨＤＤに記録する場合、データの容量が非常に大きいため、ＨＤＤの空き容量がすぐに足りなくなり、録画していた未視聴のコンテンツを消去する必要性が生じる。
【０００６】
本発明は、再生画像の画質の低下を防止しつつ、装置自体が有する記憶部の容量の節約が可能な情報処理装置を提供することを目的とする。また、前記効果を有する装置において、着脱可能な光ディスク等の記録媒体を用いて、当該情報処理装置により分割された情報の再生動作の管理・制御を行うことができ、また、記憶部に記憶されている情報の秘密性を確保することができる情報処理装置を提供することを目的とする。
【課題を解決するための手段】
【０００７】
上記の目的を達成するために、本発明に係る情報処理装置は、着脱自在な記録媒体から、再生許可情報を読み取る情報読み出し部と、情報の記録が可能な記憶部と、前記再生許可情報に従って、前記記録媒体に記録された第一の情報または前記記憶部に記録された第二の情報の再生処理を行うか否かを判断する、コントローラ部とを、備えている。
【発明の効果】
【０００８】
本発明に係る情報処理装置では、コントローラ部は、着脱自在な記録媒体に記録されている再生許可情報に従って、当該記録媒体に記憶されている第一の情報、または記憶部に格納されている第二の情報を再生するか否かを判断している。
【０００９】
したがって、記憶部の記憶容量節約の観点から、たとえばデータを第一の情報と第二の情報とに分割し、これらを記録媒体と記憶部に記憶することができる情報処理装置において、記録媒体を用いた、当該情報処理装置による分割された第一の情報または第二の情報の再生動作の管理・制御を行うことができる。また、記録媒体を「再生キー」として活用できるため、情報処理装置に記録されている第二の情報の秘密性が確保できる。
【発明を実施するための最良の形態】
【００１０】
はじめに、本発明の前提となる、映像情報から分割された第一の情報および第二の情報を記憶する動作について説明する。図１は、本発明に係る映像情報処理装置１００の構成を示す。テレビなどの表示部２２に内蔵されるチューナーなどから出力された映像情報は、映像・音声エンコード／デコード部２１に入力される。映像・音声エンコード／デコード部２１は、入力された当該映像情報に対して映像データおよび音声データのエンコードを行う。
【００１１】
エンコードされた各データ（映像情報）は、データ分割部１９において第一の情報と第二の情報とに分割される。第一の情報は、映像情報処理装置１００に対して着脱可能な光ディスク（記録媒体）１に記録される。第二の情報は、映像情報処理装置１００が備えるＨＤＤ等の磁気ディスク（記憶部）３に記録される。第一の情報として、たとえば標準画質の映像データを採用する。標準画質の映像データとは、高精細な映像情報よりも画質が粗い分、データ量が少なくて済む。第二の情報には、映像情報と上記標準画質の映像データとの差分データを採用する。
【００１２】
標準画質の映像データは、エンコード／デコード部７においてエンコードされ、光ピックアップ部２の駆動を通じて光ディスク１に記録される。差分データは、エンコード／デコード部１７においてエンコードされた後、磁気ヘッド９の駆動を通じて磁気ディスク３に記録される。当該第一の情報および第二の情報を記録する際には、システムコントローラ部１８は、第一の情報が記録された位置を示す第一のアドレスと、第二の情報が記録された位置を示す第二のアドレスとを、媒体識別情報／関連アドレス保持部（以下単に、保持部と称する）２４に保持する。第一のアドレスと第二のアドレスは、記録を行った光ディスク１に格納されている媒体識別情報３４（図２参照）と対応付けて、保持部２４に保持される。
【００１３】
このように、映像情報処理装置１００は、映像情報を第一の情報と第二の情報とに分割し、光ディスク１および磁気ディスク３に分割記憶する。磁気ディスク３には高精細な映像情報そのものではなく、差分データのみを記憶するので、磁気ディスク３の記憶容量の節約が可能となる。光ディスク１には標準画質の映像データが記憶されているので、映像情報処理装置１００における再生処理の場合には、当該標準画質の映像データと差分データとを合成することにより、高精細な映像情報を再生することができる。
【００１４】
第一の情報を高精細な映像情報より画質が低い映像データとし、第二の情報を当該映像情報と第一の情報との差分データとする。この場合には、磁気ディスク３には高精細な映像情報そのものではなく、データ量がより少ない差分データのみを記録しておけば良いことになる。したがって、再生映像の画質を低下させること無く、磁気ディスク３の記憶容量のさらなる節約が可能となる。
【００１５】
以下では、光ディスク１に記憶されている第一の情報と磁気ディスク３に記憶されている第二の情報とを用いた映像情報処理装置１００における再生動作を、その実施の形態を示す図面に基づいて具体的に説明する。
【００１６】
（光ディスクのフォーマットの説明）
図２は、本実施の形態に係る映像情報処理装置における記録再生処理の際に用いられる光ディスク１の記録領域フォーマットを示す図である。光ディスク１として、ＤＶＤ（Ｄｉｇｉｔａｌ  Ｖｅｒｓａｔｉｌｅ  Ｄｉｓｃ）、ＢＤ（Ｂｌｕ−ｒａｙ  Ｄｉｓｃ）等を採用できる。
【００１７】
図２（ａ）に示すように、光ディスク１には、当該光ディスク１の内周側から外周側に向けて、ＢＣＡ（Ｂｕｒｓｔ  Ｃｕｔｔｉｎｇ  Ａｒｅａ）領域３０、リードイン領域３１、ユーザーデータ領域３２、およびリードアウト領域３３が配置されている。ＢＣＡ領域３０には、光ディスク１の製造終了後の情報が記録される。リードイン領域３１およびリードアウト領域３３には、光ディスク１の物理的特性情報が記録される。ユーザーデータ領域３２には、コンテンツデータ本体が記録される。映像情報処理装置１００において光ディスク１を再生するときは、当該光ディスク１の内周側から外周側に向かって順に再生される。
【００１８】
図２（ｂ）は、ＢＣＡ領域３０およびリードイン領域３１の記録フォーマットをより具体的に示している。ＢＣＡ領域３０には、当該光ディスク１自身の媒体識別情報３４が記録されている。媒体識別情報３４は、光ディスク１を識別するための情報であり、シリアルＩＤなどで表されている。リードイン領域３１には、光ディスク１を再生する映像情報処理装置１００の動作を管理・コントロールするために用いられる動作管理情報３５が記録されている。
【００１９】
図２（ｃ）は、動作管理情報３５の記録フォーマットをより具体的に示している。動作管理情報３５は、動作識別情報３６、動作定義３７、およびリザーブ領域３８から構成されている。動作識別情報３６は、光ディスク１を記録再生する場合における映像情報処理装置１００が行う動作についての定義情報である。動作定義３７は、動作識別情報３６を映像情報処理装置１００が認識できない場合における当該装置１００が行う動作についての定義情報である。リザーブ領域３８は、将来規定される情報を記録するための予備領域である。動作識別情報３６および動作定義３７は、ユーザーデータ領域３２に対する、映像情報処理装置１００による再生動作を管理・コントロールするための動作管理情報である。
【００２０】
図２（ｄ）に示すように、動作識別情報３６には、映像情報処理装置１００による再生動作についての識別符号である再生動作識別情報３９が規定されている。動作定義３７には、再生許可情報４０が規定されている。再生許可情報４０は、映像情報処理装置１００が、装着された光ディスク１の再生動作識別情報３９を装置のバージョンの相違等により認識できない場合に、当該映像情報処理装置１００により読み取られる。当該再生許可情報４０は、ユーザーデータ領域３２に記録されているデータの再生を行うか否かを定義している。
【００２１】
映像情報処理装置１００、より具体的にシステムコントローラ部１８が、装着された光ディスク１に記録されている再生動作識別情報３９を認識できない場合であって、再生許可情報４０が「１（許可）」となっているケースを想定する。当該ケースでは、当該システムコントローラ部１８は、第一の情報の再生動作を実施する。第一の情報と第二の情報との合成動作、および当該合成した映像情報の再生動作は実施しない。これに対して、当該システムコントローラ部１８が、装着された光ディスク１の再生動作識別情報３９を認識できない場合であって、再生許可情報４０が「０（禁止）」であるケースを想定する。当該ケースでは、システムコントローラ部１８は、再生動作自体を禁止する。
【００２２】
対象となる光ディスク１に対する第一の情報の記録処理を行った映像情報処理装置１００は、当該光ディスク１の再生動作識別情報３９を認識できる。この場合には、当該システムコントローラ部１８は、再生許可情報４０を読まずに、再生動作識別情報３９に従った再生動作を行う。第一の情報を単独で再生することも、第一の情報と第二の情報を合成したものを再生することも可能である。
【００２３】
このような、光ディスク１に記録されている再生動作識別情報３９と再生許可情報４０とを利用した上記映像情報処理装置１００の再生動作制御により、上述した磁気ディスク３の容量節約だけでなく、バックアップは標準画質の画像で十分であるとするユーザにとってのバックアップ性の良さ、および第一の情報と第二の情報との記録処理を行っていない映像情報処理装置１００においても標準画質の画像を再生できるという可搬性の良さを奏することができる。
【００２４】
光ディスク１のリザーブ領域３８には、情報の記録を終了する毎に、当該記録動作を実行した映像情報処理置１００を識別する装置識別情報４２，４４と、記録した領域を示すアドレス情報４１，４３が記録される。上書きアドレス情報４５には、ある映像情報処理装置１００ａにおいて記録された第一の情報の少なくとも一部が、別の映像情報処理装置１００ｂによって上書きされたとき、当該上書きされた領域のアドレスが記録される。なお、動作管理情報３５は、ＢＣＡ領域３０やリードアウト領域３３に記録されていても良い。
【００２５】
本実施の形態に係る映像情報処理装置１００では、システムコントローラ部１８は、光ディスク１に記録されている再生許可情報４０に従って、当該光ディスク１に記憶されている第一の情報または磁気ディスク３に記憶されている第二の情報を再生するか否かを判断している。
【００２６】
したがって、磁気ディスク３の記憶容量節約の観点から、映像情報を第一の情報と第二の情報とに分割し、これらを光ディスク１と磁気ディスク３に記憶することができる映像情報処理装置１００において、光ディスク１を用いた分割された第一の情報の再生動作の管理・制御を行うことができる。
【００２７】
本実施の形態に係る映像情報処理装置１００では、システムコントローラ部１８が再生動作識別情報３９を認識できるときには、当該再生動作識別情報３９に従って第一の情報および第二の情報を用いた再生処理を実施する。また、システムコントローラ部１８が再生動作識別情報３９を認識できないときには、再生許可情報４０に従って第一の情報を再生するか否かを判断する。
【００２８】
したがって、再生動作識別情報３９が認識できる場合には、映像情報処理装置１００は、当該再生動作識別情報３９で規定された合成再生等を行うことができる。他方、再生動作識別情報３９が認識できない場合であっても、再生許可情報４０を読み取ることにより、光ディスク１に記録されている第一の情報の再生処理を行うか否かを判断できる。ここで、上述したように、装置１００のバージョン等の相違または、第一の情報の記録処理を行った装置１００ａと第一の情報の再生処理を行っている装置１００ｂとの相違等が生じた場合に、映像情報処理装置１００ｂは再生動作識別情報３９を認識できなくなることを想定している。
【００２９】
（映像情報処理装置の動作説明）
次に、映像情報処理装置１００におけるデータの再生動作について説明する。システムコントローラ部１８は、記録媒体着脱部（図示せず）に光ディスク１が装着されているか否かを確認する。システムコントローラ部１８が光ディスク１の当該装着を確認した場合には、媒体識別情報３４が記録されているＢＣＡ領域３０へアクセスするように、当該システムコントローラ部３０は、サーボプロセッサ１３に対して制御信号を出力する。
【００３０】
モータドライバ１５は、サーボプロセッサ１３からの制御信号に従って、光ピックアップ部２を駆動し、所望の領域の情報が読み出される。光ピックアップ部２によって読み出された情報は、光ディスク信号処理部５において増幅された後、２値化部６へ供給される。２値化部６で２値化された２値化信号は、変調信号としてエンコード／デコード部７に供給される。エンコード／デコード部７は、再生時のデコーダとしての機能部位と、記録時のエンコーダとしての機能部位を備えている。当該エンコード／デコード部７では、変調された２値化信号が入力されると、２値化信号をデコードする。エンコード／デコード部７内に配設されている媒体識別情報抽出部２３は、デコードされた信号から媒体識別情報３４を抽出する。
【００３１】
上記で示した手順と同様な手順により、システムコントローラ部１８は、リードイン領域３１から、動作管理情報３５を入手し、解析する。エンコード/デコード部７には動作管理情報抽出部２５が配設されており、先ず当該動作管理情報抽出部２５によって、エンコード／デコード部７でデコードされた信号から動作管理情報３５が抽出される。抽出された動作管理情報３５は、システムコントローラ部１８に出力される。システムコントローラ部１８内には動作管理情報解析部２６が配設されており、動作管理情報解析部２６によって動作管理情報３５の解析が行われる。
【００３２】
具体的には、動作管理情報解析部２６は、動作管理情報３５に関わる動作識別情報３６を検出する。動作管理情報解析部２６が検出した動作識別情報３６がどのような動作を規定する情報であるか認識可能である場合には、当該動作識別情報３６に規定された内容の再生動作を実行する。他方、動作管理情報解析部２６が動作識別情報３６を認識できない場合には、動作管理情報解析部２６は次に動作定義３７を検出し、システムコントローラ部１８は当該動作定義３７に従った動作制御を行う。
【００３３】
動作識別情報３６は、再生動作識別情報３９であって、光ディスク１に記録されている第一の情報および磁気ディスク３に記録されている第二の情報を合成して再生することが可能かどうかを規定する。システムコントローラ部１８がこの再生動作識別情報３９を認識できない場合の動作定義として、動作定義３７に再生許可情報４０が規定されている。当該再生許可情報４０を設けることより、装置に装着されている光ディスク１に対する第一の情報の記録動作が行われた映像情報処理装置１００ａと異なる映像情報処理装置１００ｂにおいて、当該光ディスク１に記録されている第一の情報のみの再生の有無の判断を行うことができる。
【００３４】
システムコントローラ部１８は、再生処理の際には、リザーブ領域３８に記録されている、上記装置識別情報４２，４４と、アドレス情報４１，４３と、第一の情報が上書きされた領域を示す上書きアドレス情報４５を入手し、保持しておく。光ディスク１から抽出された媒体識別情報３４は、システムコントローラ部１８に出力される。システムコントローラ部１８は、保持部２４に保持されている媒体識別情報（以下、保持媒体識別情報と称する）と、当該抽出された媒体識別情報（以下、抽出媒体識別情報）とを照合し、両者がが一致するか否かを判断する。
【００３５】
前記照合の結果、保持媒体識別情報と抽出媒体識別情報とが一致した場合には、保持媒体識別情報と関連付けられている、光ディスク１の第一のアドレスおよび磁気ディスク３の第二のアドレスにアクセスするように、システムコントローラ部１８は、サーボプロセッサ１３およびサーボプロセッサ１２を制御する。
【００３６】
システムコントローラ部１８は、先に抽出されて保持されている装置識別情報４２，４４が、自分の装置識別情報と一致するかも判断する。一致しない場合は、過去に光ディスク１の記録動作を行った映像情報処理装置と現在光ディスク１の再生動作を行っている映像情報処理装置とが異なっている。この場合には、システムコントローラ部１８は第一のアドレスのみにアクセスし、磁気ディスク３の第二のアドレスへのアクセスを禁止する。
【００３７】
システムコントローラ部１８が光ディスク１より上書きアドレス４５を入手し、当該上書きアドレス４５に所定のアドレスが記載されている場合を想定する。当該場合には、第一のアドレスへのアクセスの際に、システムコントローラ部１８は、当該上書きアドレスで指定されるアドレス領域をスキップする。これにより、当該合成処理により、誤ったデータが生成されることを防止できる。映像情報処理装置１００は、上書きされた部分のデータを除く第一の情報と第二の情報とを合成し、当該合成した情報を再生することができる。
【００３８】
第一のアドレスへのアクセス動作は次のように行われる。光ピックアップ部２は、サーボプロセッサ１３の制御信号に従い、第一のアドレス位置に移動し、そこから光ディスク１に記録されている第一の情報を読み出す。読み出された信号は、光ディスク信号処理部５において増幅される。光ディスク信号処理部５において増幅された信号は２値化部６へ供給されるとともに、サーボ制御に使用可能なトラッキングエラー信号やフォーカスエラー信号などの信号を生成してサーボプロセッサ１３にも、同時に供給される（図示省略）。
【００３９】
サーボプロセッサ１３は、光ディスク信号処理部５から供給されるトラッキングエラー信号やフォーカスエラー信号に応じて、フォーカスドライブ信号やトラッキングドライブ信号を生成し、モータドライバ１５に供給する。モータドライバ１５では、光ピックアップ部２内のフォーカスコイル、トラッキングコイルを駆動し、フォーカスおよびトラッキングの制御が行われる。光ディスク１は、モータドライバ１５からの制御信号に従い、スピンドルモータ４を駆動することで一定速度または一定角速度で回転するよう制御される。
【００４０】
このようにして安定に読み出された光ディスク１からの２値化信号は、変調信号としてエンコード／デコード部７に供給される。再生時には、エンコード／デコード部７では当該２値化信号が復調され、バッファメモリ８を介してエラー訂正、デインターリーブ等の信号処理を行い、変調信号のデコードを行う。デコードが行われた信号は、バッファメモリ８に記録される。
【００４１】
これに対して、第二のアドレスへのアクセスは次のように行われる。磁気ヘッド９は、サーボプロセッサ１２の制御信号により、第二のアドレス位置に移動し、そこから磁気ディスク３に記録されている第二の情報の読み出しを行う。読み出された信号は、磁気ディスク信号処理部１０において増幅される。磁気ディスク信号処理部１０から出力される再生信号は２値化部１１へ供給されると共に、サーボ制御に使用可能なエラー信号などの信号を生成してサーボプロセッサ１２にも、同時に供給される。
【００４２】
サーボプロセッサ１２は、磁気ディスク信号処理部１０から供給されるエラー信号に応じて磁気ヘッド９とスピンドルモータ１６とを制御する制御信号を、モータドライバ１４に供給する。モータドライバ１４では磁気ヘッド９内のコイルを駆動し、磁気ヘッド９の制御が行われる。モータドライバ１４からの制御信号に従いスピンドルモータ１６を駆動することで、磁気ディスク３は一定速度または一定角速度で回転するよう制御される。
【００４３】
このようにして安定に読み出された磁気ディスク３からの２値化信号は、変調信号としてエンコード／デコード部１７に供給される。エンコード／デコード部１７は、再生時のデコーダとしての機能部位と、記録時のエンコーダとしての機能部位を備える。再生時には、エンコード／デコード部１７は当該２値化信号を復調し、バッファメモリ８を介して光ディスク１の再生と同様の信号処理を行い、変調信号のデコードを行う。デコードが行われた信号は、バッファメモリ８に記録される。このとき、光ディスク１から読み出されデコードされたデータ（第一の情報）と、磁気ディスク３から読み出されデコードされたデータ（第二の情報）とが、同期の取れた状態でバッファメモリ８には記録されている。このため、情報を合成する際に、不整合が発生しない。
【００４４】
動作管理情報解析部２６は、データ合成部２０に対して、再生動作制御信号Ｓ１を送信する。当該再生動作制御信号Ｓ１は、システムコントローラ部１８における上述した動作管理情報３５、特に、再生動作識別情報３９および再生許可情報４０の解析の結果に応じて生成される。データ合成部２０は、当該再生動作制御信号Ｓ１に従って、読み出す情報の種類を選定する。もしくは、再生処理自体を中止する。
【００４５】
再生動作制御信号Ｓ１が第一の情報と第二の情報との合成を指示する場合には、当該データ合成部２０は、エンコード／デコード部７を介してバッファメモリ８から第一の情報と第二の情報を読み出す。データ合成部２０は、第一の情報と第二の情報とを合成することにより、高精細な映像情報を生成する。当該合成された信号は、映像・音声エンコード/デコード部２１にて映像および音声のデコードが行われ、テレビなどの表示部２２において高精細な画像として表示される。
【００４６】
本実施の形態に係る映像情報処理装置１００では、システムコントローラ部１８は、記録媒体着脱部（図示せず）に装着された光ディスク１から抽出された抽出媒体識別情報と、保持部２４に保持されている保持媒体識別情報とが、一致するか否かを判断している。そして、一致すると判断した場合に、保持媒体識別情報に関連付けられている第一，二のアドレスから第一，二の情報を読み出す。そして、当該第一の情報と第二の情報とを再生可能に合成することができるデータ合成部２０を備えている。
【００４７】
したがって、分割した第一の情報および第二の情報を映像情報処理装置１００において合成する際に、不整合が発生しないようにすることができる。つまり、データ分割部１９で分割され、光ディスク１および磁気ディスク３に記憶された第一の情報および第二の情報を、高精細な映像情報として正常に再生することができる。
【００４８】
再生動作制御信号Ｓ１が第一の情報と第二の情報との合成を指示しない場合には、当該データ合成部２０は、エンコード／デコード部７を介してバッファメモリ８から第一の情報のみを読み出す。第一の情報は標準画質の映像データであり第二の情報は差分データである。データ合成部２０は、当該第一の情報である標準画質の映像データを出力する。当該出力された信号は、映像・音声エンコード/デコード部２１にて映像および音声のデコードが行われ、テレビなどの表示部２２において、標準画質の画像が表示される。データ合成部２０が、再生処理を中止する旨の再生動作制御信号Ｓ１を受信した場合には、当該受信後の再生処理は中止される。
【００４９】
データ分割部１９は映像情報を、一枚の光ディスク１に収まるようにデータ量が調整された映像データと、当該映像データを高精細に再生することができる差分データとに分割することもできる。光ディスク１には、画質が調整されているもののそれだけで再生可能な映像データが記録される。したがって、磁気ディスク３から光ディスク１へのダビング処理の際に実施されていた再エンコードはもちろん、光ディスク１へのダビング自体を不要とすることができる。
【００５０】
なお、パーソナルコンピュータなどで使われる一般的な所定のデータが、第一の情報と第二の情報とに分割され、当該分割された各情報を光ディスク１および磁気ディスク３に各々記録される場合においても、上記本発明を適用することができる。当該場合には、映像情報処理装置は、単に情報処理装置と称される。
【００５１】
上記一般的な所定のデータは、次のように分割されていても良い。一般的な所定のデータを複数のセグメントで分割し、最初のセグメントは第一の情報、２番目のセグメントは第二の情報、３番目のセグメントは第一の情報と、各分割されたセグメントを第一の情報および第二の情報に交互に振り分ける。当該振り分けを行った場合には、光ディスク１に記録される第一の情報は、それ自体での再生が不可能なデータである。所定のデータが映像情報である場合には、当該振り分けを行ったときの第一の情報は映像として再生されない。
【００５２】
また、分割されたすべてのセグメントを第二の情報とし、磁気ディスク３に記憶しても良い。この場合には、情報処理装置１００に装着される光ディスク１は、磁気ディスク３に記録されている第二の情報の再生動作制御を担ういわゆる「再生キー」としての機能する。この場合でも、光ピックアップ２等から成る情報読み出し部は、情報処理装置１００に装着された光ディスク１から再生許可情報４０を読み取り、システムコントローラ部１８は、当該再生許可情報４０に従って、磁気ディスク３に記憶されている第二の情報の再生処理を行うか否かを判断する。
【００５３】
情報処理装置１００は、「再生キー」である光ディスク１が無ければ、情報処理装置１００は磁気ディスク３内の第二の情報を再生することができない。磁気ディスク３に記録されている第二の情報を第三者が再生することを防止できるので、第二の情報の秘密性が確保される。
【００５４】
また、光ディスク１に記録されている再生許可情報４０を、当該光ディスク１に対して第一の情報の記録処理を行った情報処理装置１００ａ以外の他の情報処理装置１００ｂにおける再生を禁止するビットとしても良い。他の情報処理装置１００ｂに、自機において第一の情報の記録処理を行っていない光ディスク１が装着された場合には、当該情報処理装置１００ｂは次のように動作する。
【００５５】
まず、再生動作識別情報３９を情報処理装置１００ｂのシステムコントローラ部１８が読み取る。しかし、当該装着された光ディスク１に記録されている第一の情報が情報処理装置１００ｂで記録されたもので無いので、当該情報処理装置１００ｂは、読み出した再生動作識別情報３９を認識できない。次に、情報処理装置１００ｂは、再生許可情報４０を読み取る。当該再生許可情報４０は上述したビットであるため、情報処理装置１００ｂは、装着された光ディスク１に記録されている第一の情報の再生処理を行わない。
【００５６】
このような構成を採用することにより、光ディスク１に対する第一の情報の記録処理を行った情報処理装置１００ａでしか、光ディスク１に記録された第一の情報の再生を実施できなくなる。よって、光ディスク１に記録された第一の情報に秘匿性を持たせることができる。
【図面の簡単な説明】
【００５７】
【図１】本発明に係る映像情報処理装置の構成を示すブロック図である。
【図２】光ディスクの記録領域フォーマットを示す図である。
【符号の説明】
【００５８】
１  光ディスク、３  磁気ディスク、１８  システムコントローラ部、１９  データ分割部、２０  データ合成部、２４  媒体識別情報／関連アドレス保持部、２６  動作管理情報解析部、３４  媒体識別情報、３５  動作管理情報、３９  再生動作識別情報、４０  再生許可情報、１００  映像情報処理装置。
【図１】
2008293564.tif 000003
【図２】
2008293564.tif 000004